(57)【要約】      （修正有）【課題】構造が単純かつ堅牢であって使用時には大きく展開でき、収納時は小さくできる低価格の室内外兼用型の布団と枕等の乾燥用器具を提供する。【解決手段】２本の交差する支柱パイプ４の自在キャスター１５の上に取り付けた支柱支持鎖１０により、支柱パイプ４の脚部を６０°に開き脚部を固定する。自在キャスター１５の取り付け角度を、キャスター連結具１４に対し３０°の角度で圧入取付けし、布団を載せた状態で床面を３６０°自由旋回できるようにする。収納時は本考案の布団乾燥器具の支柱パイプ４の中央部にある支柱パイプ連結ピン１６を中心にしてたたむことにより、使用時は４００ｍｍである幅を９０ｍｍ以下にすること、またアーム３を布団掛パイプ５の中に収納することにより、使用時の長さ１４００ｍｍを８２０ｍｍ以下にして収納容積を小さくする。高さは布団掛けが容易にできる作業高さ９００ｍｍ以下とする。【選択図】図１
0003154436.tif 000002
【実用新案登録請求の範囲】
【請求項１】
本考案の布団干し器具の使用時の展開時には、布団掛けパイプ５を開くことによって支柱支持鎖１０により支柱の開き角度が６０°で固定され、次いで対になったアームヘッド６を片側で３００ｍｍ、両側で６００ｍｍ以上引き出すことで布団と枕を同時に搭載できる総重量４．５ｋｇ以下の軽量で安全耐荷重６０ｋｇ以上を有する堅牢な構造体。
【請求項２】
本考案の布団掛け器具を展開して布団を掛けたときの内側の空間を４００ｍｍ以上保つことにより空気の流通を良好にし乾燥効果を向上させた構造体。
【請求項３】
自在キャスター１５を支柱パイプ４に対し３０℃の位置に取り付け支柱パイプ開き角度６０°でも室内室外での床上で３６０°自由に旋回でき、布団の掛け直しや移動することなく日照位置を自由に旋回移動できる構造体。
【請求項４】
本考案の器具の展開時の最大寸法が長さ１４００ｍｍ以上、幅４２０ｍｍ以上、高さ９００ｍｍ以下であり、使用時の長さを８８０ｍｍ以下に自由に変更でき、収納時の最小寸法が長さ８２０ｍｍ以下、幅９０ｍｍ以下、高さ９５０ｍｍ以下の寸法とする構造体。
【考案の詳細な説明】
【技術分野】
【０００１】  本考案の器具は、室内外兼用の布団掛・枕干しの脚部を６０°に開いて設置した場合でも床面で３６０°自由旋回できる構造とし、本考案の器具を屋外屋内においても簡単に持ち運び移動できる重量とすること。布団の広い範囲を日光に浴すことができ、かつ布団から発生する水蒸気を素早く蒸散させるため布団の折り返し部分の幅を十分取ることと枕も同時に干せるようにすること。しかも構造が単純かつ堅牢であって使用時には大きく展開でき、収納時は小さくできる低価格の室内外兼用型の布団と枕等の乾燥用器具とする。
【背景技術】
【０００２】  本考案の器具の構造が単純で軽量かつ堅牢であるために、使用する材料は鋼板製の薄肉パイプを、パイプ連結用の継ぎ手も同様の軽量品を、プラスチック素材も軽量のポリエチレン製を採用する。強度を確保するため支柱パイプ４の開き角度を６０°の正三角形にすることにより強度を得る。収納容積を小さくし、かつ簡便に収納できるように金属製の鎖を脚部に採用する。
【考案の開示】
【考案が解決しようとする課題】
【０００３】  従来の布団干し器具で屋外型の器具は固定型であり床置きでも設置位置が固定され反対側を干すときは大きな布団を一度持ち上げてからの掛け直しが必要であり使用者にとって重労働であった。【０００４】  従来の布団干し器具は布団掛け金具の幅が狭いため布団の折り返し部分の十分な乾燥が得られず、布団と枕を同時に乾燥する器具がないことや布団を掛けたままの状態で床面を自由に旋回できないものであり使用者にとって不便であった。
【課題を解決するための手段】
【０００５】  本考案の器具を床面で自由に旋回できるようにするため、支柱パイプ４が床面に対して３０°になったとき自在キャスター１５の取り付け面の角度を３０°にして取り付けることにより床面で自由に旋回できる構造にし、かつ支柱パイプ４の開き角度を維持するため支柱パイプ４に取り付けた支柱支持鎖１０が布団等の重量で直線状になる構造とすることにより支柱パイプ４の開き角度を常に６０°に固定されるようにする。【０００６】  本考案の器具を布団の幅に合わせることと枕を同時に干せるようにするため布団掛けパイプ５の内部にアームエンド７とアームヘッド６が取り付けられたアーム３を外側に引き出すことによりアームエンドがアームガイド２に当たるまでの距離を両端で最大６００ｍｍまで延長できる構造にする。【０００７】  本考案の器具で布団を干すときは布団掛けパイプ５の開き幅を４００ｍｍ以上とすることにより布団の内側の空気の流通が良好となり布団から発生した水蒸気の蒸散が速やかに進む構造にする。【０００８】  本考案の器具の堅牢さと軽量化を図るため支柱パイプ４および布団掛パイプ５については極薄鉄パイプの表面を樹脂コーティングした材料、アーム３は極薄の鍍金パイプ、アームエンド７およびアームヘッド６、自在キャスター１５はポリエチレン製品を採用し軽量化を図り完成重量を４．５ｋｇ以下とし安全耐荷重を６０ｋｇ以上とする。
【考案の効果】
【０００９】  本考案の布団掛・枕干し器具の使用により室内および室外でも日当たりの状況変化にも自由に対応でき、かつ日差しと反対面についても同器具を床面で自由に旋回することにより満遍なく布団と枕を同時に干すことができる。【００１０】  支柱パイプ４の材質を薄肉鋼で太さ２７．６ｍｍにし開脚角度を６０°にすることにより構造が単純で、かつ器具としての強度を得ること、および材料の厳選により４．５ｋｇ以下の軽量化ができる。【００１１】  支柱パイプ４の連結が支柱パイプ連結ピン１６でＸ型に交差するように取り付け、支柱パイプ４に支柱支持鎖１０を取り付けることにより簡単にたためて、かつ収納容量を小さくできる。アーム連結鎖８の採用により布団の垂れを防止するとともに枕を同時に干せる。
【実施例】
【００１２】  アーム３は鍍金つき軽量パイプの内径に対してプラスチック製のアームガイド２の外径との差を０．２ｍｍ以下の寸法にすることによって円滑にスライドできるように挿入し、アームヘッド６とアームエンド７をその両端が３００ｍｍの間隔を有してアーム３に圧入したアッセンブリーを布団掛パイプ５にＴ型パイプ連結具を介して圧入固定して堅牢化と軽量化を図った。【００１３】  アーム３は自己潤滑性のあるポリエチレン樹脂で製作されたアームガイド２の内面を円滑にかつ傷をつけることなくスライドさせることができた。【００１４】  枕の落下と布団のたるみ防止のため、２．６φの鍍金された長さ４２０ｍｍの金属製のアーム連結鎖８の一方をアームヘッド６の側面とＵ字型の構造を有するアームカラー１７の側面をネジ等で取り付け、本考案の器具を展開した際にアームカラー１７をアーム３のガイドパイプに被せてセットすることによりアーム３の位置決めと枕落下防止用の鎖としてまた布団を掛けたときの布団の垂れ防止とすることができた。【００１５】  支柱パイプ４を最大に開いたときに支柱支持鎖１０が直線状に張られることにより、支柱パイプ連結ピン１６と支柱パイプ４および支柱支持鎖１０が正三角形状となるため布団の荷重を交差する支柱パイプ４に均等分散するとともに許容荷重４０ｋｇ／個の自在キャスター１５を４個採用することにより堅牢かつ移動可能な構造とした。【００１６】  布団掛パイプ５に収納しているアーム３は左右にそれぞれ約３００ｍｍ引き出し延長でき、展開時の有効長は１４００ｍｍ以上であるが、収納時は８２０ｍｍ以下に縮小できるようにしコンパクトな構造とした。なお本考案の器具の高さは９００ｍｍ以下である。【００１７】  支柱パイプ４が最大に展開したときの床面からの垂線に対して３０°の角度で固定されたとき支柱パイプ４の床面側に取り付けたキャスター連結具１４の取付面が常に水平を保つように圧入でしっかり固定することにより自在キャスター１５が床面で３６０°の自由旋回ができるため本考案の器具は布団を掛けたまま床面を自由に移動することができた。
【図面の簡単な説明】
【００１８】
【図１】  使用時および収納時の立体図である。
【図２】  自在キャスターの取付図である。
【図３】  アームの伸縮図を説明した断面図である。
【図４】  アーム先端の鎖掛けの立体図である。
【図５】  布団と枕を干した状態の正面図と側面図である。
【符号の説明】
【００１９】  １．Ｔ型パイプ連結具
２．アームガイド
３．アーム
４．支柱パイプ
５．布団掛けパイプ
６．アームヘッド
７．アームエンド
８．アーム連結鎖
１０．支柱支持鎖
１１．止めボルト
１２．アームカラー
１３．鎖取付具
１４．キャスター連結具
１５．自在キャスター
１６  支柱パイプ連結ピン
１７  アームカラー
１８  布団
１９  枕
【図１】
0003154436.tif 000003
【図２】
0003154436.tif 000004
【図３】
0003154436.tif 000005
【図４】
0003154436.tif 000006
【図５】
0003154436.tif 000007
【手続補正書】
【提出日】平成21年7月22日(2009.7.22)
【手続補正１】
【補正対象書類名】実用新案登録請求の範囲
【補正対象項目名】全文
【補正方法】変更
【補正の内容】
【実用新案登録請求の範囲】
【請求項１】
支柱パイプ連結ピンでＸ型に交差するように形成された支柱パイプ４の上端に布団掛けパイプ５を取り付け、この布団掛けパイプ５を開くことにより、支柱パイプ４に取り付けられる支柱支持鎖１０により支柱パイプ４の開き角度を６０°に固定し、かつ、前記布団掛けパイプ５に取り付けたアーム３のアームヘッド６を片側で３００ｍｍ、両側で６００ｍｍ以上引き出すことにより、布団と枕を同時に搭載できる総重量４．５ｋｇ以下の軽量で安全耐荷重６０ｋｇ以上とする室内外兼用の布団と枕等の乾燥用器具。
【請求項２】
前記布団掛けパイプ５の開き幅を４００ｍｍ以上として布団を掛けたときの内側の空気の流通を良好にして乾燥効果を向上させたことを特徴とする請求項１記載の室内外兼用の布団と枕等の乾燥用器具。
【請求項３】
前記支柱パイプ４に自在キャスター１５を３０°の角度にて取り付け、支柱パイプ４の開き角度を６０°に固定して、室内室外での床上で３６０°自由に旋回され、布団の掛け直しや移動することなく日照位置を自由に旋回移動されることを特徴とする請求項１及び２のいずれかに記載の室内外兼用の布団と枕等の乾燥用器具。
【請求項４】
前記布団掛けパイプ５を開いたとき、最大寸法が長さ１４００ｍｍ以上、幅４２０ｍｍ以上、高さ９００ｍｍ以下であり、使用時の長さを８８０ｍｍ以下に自由に変更され、収納時の最小寸法が長さ８２０ｍｍ以下、幅９０ｍｍ以下、高さ９５０ｍｍ以下の寸法とすることを特徴とする請求項１及び３のいずれかに記載の室内外兼用の布団と枕等の乾燥用器具。